(57)【要約】      （修正有）【課題】一種の温度パラメーターを無線送信でき、ポットがホルダーから離れても、温度が表示または制御できる電気湯沸かし器を提供する。【解決手段】電気湯沸かし器は、ポットと、ホルダーとを含む。ホルダーには第一電源盤と、継電器と、第一無線信号処理用ＩＣモジュールと、無線受信機とがあり、第一電源盤と無線受信機は、第一無線信号処理用ＩＣモジュールと電気的に接続する。ポットには第二電源盤と、第二無線信号処理用ＩＣモジュールと、無線発信機と、電気加熱管と、サーミスタとが設置され、第二電源盤とサーミスタと無線発信機は、第二無線信号処理用ＩＣモジュールと電気的に接続する。第一電源盤はポットの底部と、それにホルダー上部とのレセプタクルによって、第二電源盤と電気的に接続し、継電器は電気加熱管と電気的に接続し、無線受信機は無線信号によって、無線発信機と接続する。【選択図】図２
0003160648.tif 000002
【実用新案登録請求の範囲】
【請求項１】
一つのポットと、一つのホルダーとがあり、前記ホルダーには一つの第一電源盤と、一つの継電器と、一つの第一無線信号処理用ＩＣモジュールと、一つの無線受信機とがあり、前記第一電源盤は第一無線信号処理用ＩＣモジュールと電気的に接続し、前記第一無線信号処理用ＩＣモジュールは無線受信機と電気的に接続し、前記ポットには一つの第二電源盤と、一つの第二無線信号処理用ＩＣモジュールと、一つの無線発信機と、一つの電気加熱管と、一つのサーミスタとが設置され、前記第二電源盤は第二無線信号処理用ＩＣモジュールと電気的に接続し、前記サーミスタは第二無線信号処理用ＩＣモジュールと電気的に接続し、前記第二無線信号処理用ＩＣモジュールは無線発信機と電気的に接続し、前記第一電源盤はポットの底部と、それにホルダー上部とのレセプタクルによって、前記第二電源盤と電気的に接続し、前記継電器は電気加熱管と電気的に接続し、前記無線受信機は無線信号によって、前記無線発信機と接続する温度パラメーターを無線送信できる電気湯沸かし器。
【請求項２】
前記ポットにはさらに一つの予備電源が設置され、前記予備電源は前記第二無線信号処理用ＩＣモジュールと電気的に接続するようにしたことを特徴とする請求項１記載の温度パラメーターを無線送信できる電気湯沸かし器。
【請求項３】
前記ホルダーにはさらに一つの第一温度表示装置が設置され、前記第一温度表示装置は前記第一無線信号処理用ＩＣモジュールと電気的に接続するようにしたことを特徴とする請求項１記載の温度パラメーターを無線送信できる電気湯沸かし器。
【請求項４】
前記ホルダーにはさらに一つの第二温度表示装置が設置され、前記第二温度表示装置は前記第二無線信号処理用ＩＣモジュールと電気的に接続するようにしたことを特徴とする請求項１或いは請求項３記載の温度パラメーターを無線送信できる電気湯沸かし器。
【請求項５】
前記ポットには一つのハンドルがあり、前記無線発信機は前記ハンドルに設置されるようにしたことを特徴とする請求項１記載の温度パラメーターを無線送信できる電気湯沸かし器。
【請求項６】
前記第一無線信号処理用ＩＣモジュールと前記第二無線信号処理用ＩＣモジュールはみんな赤外線処理用ＩＣモジュールで、前記無線受信機と無線発信機は別々に赤外線受信機、赤外線発信機であるようにしたことを特徴とする請求項１記載の温度パラメーターを無線送信できる電気湯沸かし器。
【請求項７】
さらに一つのプローブ構造の液体用熱感知棒があり、前記プローブ構造の液体用熱感知棒には一つのＩＣモジュールと、一つのサーミスタと、一つの表示装置と、一つの電源とが設置されるようにしたことを特徴とする請求項１記載の温度パラメーターを無線送信できる電気湯沸かし器。
【考案の詳細な説明】
【技術分野】
【０００１】
本考案は一種の電気湯沸かし器に関し、とくに一種の温度パラメーターを無線送信できる電気湯沸かし器に関する。
【背景技術】
【０００２】
電気湯沸かし器の温度センサー信号を温度制御装置に送信する従来方式には二つあり、一つは直接に電気的に接続することで、もう一つは光電伝送で、第一種の電気湯沸かし器の場合では、温度信号を送信する時、ポットはホルダーからはなれることができず、また、いったんポットはホルダーからはなれると、温度を表示できず、第二種の電気湯沸かし器の場合では、光電伝送装置がホルダーに設置されたので、発信受信の角度に問題があり、いったんポットがホルダーから離れると、ホルダーの信号受信および温度表示ができず、また、ポット内の液体の温度を観察することができないため、非常に不便である。
【考案の概要】
【考案が解決しようとする課題】
【０００３】
本考案の主な目的として、一種の温度パラメーターを無線送信できる電気湯沸かし器を提供し、ポットがホルダーから離れると、温度が表示または制御できないという従来電気湯沸かし器の欠点を解決する。
【課題を解決するための手段】
【０００４】
本考案は以下の技術手段を採用する；
温度パラメーターを無線送信できる電気湯沸かし器には、一つのポットと、一つのホルダーとがあり、前記ホルダーには一つの第一電源盤と、一つの継電器と、一つの第一無線信号処理用ＩＣモジュールと、一つの無線受信機とがあり、前記第一電源盤は第一無線信号処理用ＩＣモジュールと電気的に接続し、前記第一無線信号処理用ＩＣモジュールは無線受信機と電気的に接続し、前記ポットには一つの第二電源盤と、一つの第二無線信号処理用ＩＣモジュールと、一つの無線発信機と、一つの電気加熱管と、一つのサーミスタとが設置され、前記第二電源盤は第二無線信号処理用ＩＣモジュールと電気的に接続し、前記サーミスタは第二無線信号処理用ＩＣモジュールと電気的に接続し、前記第二無線信号処理用ＩＣモジュールは無線発信機と電気的に接続し、前記第一電源盤はポットの底部と、それにホルダー上部とのレセプタクルによって、前記第二電源盤と電気的に接続し、前記継電器は電気加熱管と電気的に接続し、前記無線受信機は無線信号によって、前記無線発信機と接続する。
【０００５】
本考案の好ましい実施例には、前記ポットにはさらに一つの予備電源が設置され、前記予備電源は前記第二無線信号処理用ＩＣモジュールと電気的に接続する。
【０００６】
本考案の好ましい実施例には、前記ホルダーにはさらに一つの第一温度表示装置が設置され、前記第一温度表示装置は前記第一無線信号処理用ＩＣモジュールと電気的に接続する。
【０００７】
本考案の好ましい実施例には、前記ホルダーにはさらに一つの第二温度表示装置が設置され、前記第二温度表示装置は前記第二無線信号処理用ＩＣモジュールと電気的に接続する。
【０００８】
本考案の好ましい実施例には、前記ポットには一つのハンドルがあり、前記無線発信機は前記ハンドルに設置される。
【０００９】
本考案の好ましい実施例には、前記第一無線信号処理用ＩＣモジュールと前記第二無線信号処理用ＩＣモジュールはすべて赤外線処理用ＩＣモジュールで、前記無線受信機と無線発信機は別々に赤外線受信機、赤外線発信機である。
【００１０】
本考案の好ましい実施例には、さらに一つのプローブ構造の液体用温度検知棒があり、前記プローブ構造の液体用温度検知棒には一つのＩＣモジュールと、一つのサーミスタと、一つの表示装置と、一つの電源とが設置される。
【００１１】
以上のように、従来技術と比べると、本考案の温度パラメーターを無線送信できる電気湯沸かし器には以下の特長がある。
【００１２】
本考案では、ポットとホルダーには別々に無線発信機と、無線受信機とが設置され、無線送信によって、ポットのサーミスタで検知された水温信号をホルダーの第一電源盤に送信させてから、第一電源盤と継電器によって、温度を制御し、たとえポットがホルダーから離れても送信できる。
【００１３】
２）本考案では、ポットに予備電源が設置され、ポットがホルダーから離れると、予備電源が作動し、第二無線信号処理用ＩＣモジュールと、無線発信機と、サーミスタとに電力を供給し、依然水温を検知でき、また、信号を送信できる。
【００１４】
３）本考案では、ユーザーが直ちにポット内の水温を観察できるように、ポットとホルダーには単に、または同時に温度表示装置が整備され、ポットの予備電源によって、ポットがホルダーから離れて、電源を切っても、ポットの温度表示装置が依然温度を表示できる。
【００１５】
４）本考案では、まだプローブ構造の液体用温度検知棒が設置され、ポット内の即時水温を検知でき、ユーザーが自由にかつ便利に使える。
【００１６】
５）本考案では、無線発信機がハンドルに設置され、無線発信機が加熱管のような電気加熱部材から遠く離れ、それに、加熱する時、無線発信機の温度を上昇し過ぎ、無線発信と、受信との質に影響を与えることを防ぎ、誤操作を減少し、無線発信機の寿命を長くさせる。
【図面の簡単な説明】
【００１７】
【図１】本考案の実施一の断面図を示す。
【図２】本考案の実施一の回路ブロック図を示す。
【図３】本考案の実施二の回路ブロック図を示す。
【図４】本考案の実施三の回路ブロック図を示す。
【図５】本考案の実施四の回路ブロック図を示す。
【考案を実施するための形態】
【００１８】
以下は具体的な実施例をまとめて、本考案を詳しく説明する。
【実施例１】
【００１９】
図１と、図２と示すように、本考案の温度パラメーターを無線送信できる電気湯沸かし器には、一つのポット２と、一つのホルダー１とがあり、ホルダー１には一つの第一電源盤１１と、一つの継電器１２と、一つの第一赤外線処理用ＩＣモジュール１３と、一つの赤外線受信機１４と、一つの第一温度表示装置１５と、一つのレセプタクル１６とがあり、第一電源盤１１は別々に継電器１２と、第一赤外線処理用ＩＣモジュール１３と、レセプタクル１６と電気的に接続し、継電器１２はレセプタクル１６と電気的に接続し、第一赤外線処理用ＩＣモジュール１３は別々に赤外線受信機１４と、第一温度表示装置１５と電気的に接続する。ポット２には一つの第二電源盤２１と、一つの第二赤外線処理用ＩＣモジュール２２と、一つの赤外線発信機２３と、一つの第二温度表示装置２４と、一つのサーミスタ２５と、一つの予備電源２６と、一つの電気加熱管２７と、一つのレセプタクル２８とがあり、ポット２にはさらに一つのハンドル２９があり、赤外線発信機２３は前記ハンドル２９に設置され、第二電源盤２１は別々に第二赤外線処理用ＩＣモジュール２２と、電気加熱管２７と、レセプタクル２８と電気的に接続し、前記第二赤外線処理用ＩＣモジュール２２は別々に赤外線発信機２３と、第二温度表示装置２４と、サーミスタ２５と、予備電源２６と電気的に接続する。
【００２０】
本考案を使用すると、ポット２はホルダー１と接続すると、ホルダー１の第一電源盤１１に電力を供給し、第一電源盤１１が作動し、予定の水温を設定してから、継電器１２はレセプタクル１６、レセプタクル２８によって、電気加熱管２７を制御する。ホルダー１はポット２と接続している時、同時にポット２の第二電源盤２１に電力を供給し、第二電源盤２１に電力を供給してから、第二赤外線処理用ＩＣモジュール２２はサーミスタ２５によって、即時水温を検知でき、そして、検知された温度信号を第二温度表示装置２４に表示すると同時に、赤外線受信機２３によって、最新の温度信号をホルダー１の赤外線受信機１４に送信し、赤外線受信機１４は前記赤外線信号を受信してから、前記信号を第一赤外線処理用ＩＣモジュール１３にフィードバックし、第一赤外線処理用ＩＣモジュール１３は再び赤外線信号を温度信号に切り替えてから、ホルダー１の第一温度表示装置１５に表示し、いったんポット２内の水温が設定値に達すると、ホルダー１の第一電源盤１１は加熱回路のオン・オフ動作を制御し、ポット２内の水温を制御する。
【００２１】
本考案では、第一温度表示装置１５と第二温度表示装置２４は同時に温度を表示し、ユーザーが直接にポット内の水温を観察でき、いったんポット２がホルダー１から離れると、ポット２の予備電源２６が作動し、第二赤外線処理用ＩＣモジュール２２と、赤外線発信機２３と、第二温度表示装置２４と、サーミスタ２５とに電力を供給し、依然水温を検知でき、そして、水温信号を送信し、第二電源盤２１の電源が切っても、第一温度表示装置１５と第二温度表示装置２４が依然温度を表示できる。
【実施例２】
【００２２】
図３に示すように、本考案の温度パラメーターを無線送信できる電気湯沸かし器は、実施例一の原理と大体同じで、その区別は以下に述べたように、本実施例には第二温度表示装置がなく、第二電源盤２１に電力を供給してから、第二赤外線処理用ＩＣモジュール２２はサーミスタ２５によって、即時水温を検知し、そして、赤外線発信機２３によって、最新の温度信号を直接ホルダー１の赤外線受信機１４に送信し、赤外線受信機１４が前記赤外線信号を受信してから、前記信号を第一赤外線処理用ＩＣモジュール１３にフィードバックし、第一赤外線処理用ＩＣモジュール１３は再び赤外線信号を温度信号に切り替えてから、ホルダー１の第一温度表示装置１５に表示する。ポット２がホルダー１から離れると、ポット２の予備電源２６が作動し、第二電源盤２１の電源が切っても、第一温度表示装置１５が依然温度を表示できる。
【実施例３】
【００２３】
図３に示すように、本考案の温度パラメーターを無線送信できる電気湯沸かし器は、実施例一の原理と大体同じで、その区別は以下に述べたように、本実施例には第一温度表示装置がなく、ホルダー１はポット２と接続している時、同時にポット２の第二電源盤２１に電力を供給し、第二電源盤２１に電力を供給してから、第二赤外線処理用ＩＣモジュール２２はサーミスタ２５によって、即時水温を検知でき、そして、検知された温度信号を第二温度表示装置２４に表示させると同時に、赤外線受信機２３によって、最新の温度信号をホルダー１の赤外線受信機１４に送信し、赤外線受信機１４は前記赤外線信号を受信してから、前記信号を第一赤外線処理用ＩＣモジュール１３にフィードバックし、いったんポット２の水温が設定値に達すると、ホルダー１の第一電源盤１１は加熱回路のオン・オフ動作を制御し、ポット内の水温を制御できる。
【実施例４】
【００２４】
本考案の温度パラメーターを無線送信できる電気湯沸かし器は、実施例１の原理と大体同じで、その区別は以下に述べたように、本実施例のポット２には予備電源２６がなく、その代わりに、一つのプローブ構造の液体用温度検知棒が設置され、前記プローブ構造の液体用温度検知棒はポット２やホルダー１から独立し、単に設置されるが、その中には一つのＩＣモジュールと、一つのサーミスタと、一つの表示装置と、一つの電源とが設置され、その電源として、バッテリーでもよいが、市電でもよい。
【００２５】
いったんポット２がホルダー１から離れると、プローブ構造の液体用温度検知棒を利用し、ポット２の即時水温を検知し、ユーザーが直ちに水温を承知或いは制御できる。
【００２６】
以上のように、本考案のただいくつかの好ましい実施例を開示したが、本考案のデザインアイディアはこれに限定されるものではなく、たとえば、
１）本考案の具体的な実施例では、温度パラメーターの無線送信方法はすべて赤外線であるが、ほかの無線送信方法を排除するものでもなく、
２）本考案では、ホルダーとポットに設置された回路を交換し、そして、ハンドルで制御し、ホルダーで表示する方式でもよいが、別々の要望に応えられ、ともかく、当業者が、本考案のアイディアと範囲に基づいてさまざまに非実質的な変形させることは可能であり、それらは本考案の請求項の保護範囲から排除されるものではない。
【図１】
0003160648.tif 000003
【図２】
0003160648.tif 000004
【図３】
0003160648.tif 000005
【図４】
0003160648.tif 000006
【図５】
0003160648.tif 000007